(57)【要約】【課題】コンクリートやタイル等の切断時に発生する粉塵をほぼ完璧に集塵し、作業現場及び作業者に対する大幅な環境改善を図ることができる、集塵カバー付き電動カッターを得る。【解決手段】ディスクグラインダ３の回転軸に回転刃１４及びファン１５を軸着し、該回転刃１４及びファン１５を表裏及び上部から覆うための本体カバー部１をディスクグラインダ３に固着し、更に本体カバー部１の底部に露出している回転刃１４を覆うと共に粉塵の集塵機構及び集塵袋４０を有した外部カバー部２を本体カバー部１と摺動可能に配設する。また、本体カバー部１の裏面にあるカバー固定部１８と外部カバー部２の裏面にある開口部２８との摺動に伴い変化する開口面を常に閉口するためのシャッター３１を内蔵したシャッター機構部３０を外部カバー部２の裏面に配設する。【選択図】　　　　　図１
2004142398.tif 000002
【特許請求の範囲】
【請求項１】
ディスクグラインダ（３）の回転軸に回転刃（１４）及びファン（１５）を軸着し、該回転刃（１４）及びファン（１５）を表裏及び上部から覆うための本体カバー部（１）をディスクグラインダ（３）に固着し、更に本体カバー部（１）の底部に露出している回転刃（１４）を覆うと共に粉塵の集塵機構及び集塵袋（３７）を有した外部カバー部（２）を本体カバー部（１）と摺動可能に配設したことを特徴とした、集塵カバー付き電動カッター。
【請求項２】
本体カバー部（１）の裏面にあるカバー固定部（１８）と外部カバー部（２）の裏面にある開口部（２８）との摺動に伴い変化する開口面を常に閉口するためのシャッター（３１）を内蔵したシャッター機構部（３０）を外部カバー部（２）の裏面に配設したことを特徴とした、請求項１に記載の集塵カバー付き電動カッター。
【請求項３】
後部本体カバー（２３’）の排出口（２６）の側部にディスクグラインダ（３）から発生する排気を排気パイプにて接続するための排気パイプ接続部（３７）を配設し、該排気パイプ接続部（３７）内の吸入口（３８）より吸入した排気を折り返して排出口（３９）より排出し、更に後段の排出口（２６）に排出させるようにしたことを特徴とした、請求項１及び請求項２に記載の集塵カバー付き電動カッター。
【発明の詳細な説明】
【０００１】
【発明の属する技術分野】
本発明は、コンクリートやタイル等を切断するための電動カッターに関し、特に切断時に発生する粉塵をほぼ完璧に集塵し、作業現場及び作業者に対する大幅な環境改善を図ることができる、集塵カバー付き電動カッターに関するものである。
【０００２】
【従来の技術】
従来、コンクリートやタイル等を切断するための小型の電動カッターとして、ディスクグラインダの回転軸に回転刃を軸着し、該回転刃の外周部に粉塵の飛散防止及び事故防止のための安全カバーを取付けた構造の電動カッターが一般的に使用されている。該電動カッターを使用して切断作業を行う時に発生する粉塵の飛散状況は強烈であり、僅かな切断であっても作業現場特に室内における作業現場では視界が悪くなる程であった。このため、作業者は防塵マスク等を装着しなければ作業ができない状態であり、作業現場及び作業者に対する環境は劣悪であった。
【０００３】
また、上記状況を改善するため、例えば特開２００２−４６０１８の「集塵カバーおよび電動カッター」等に見られるように、電動カッターの安全カバーの一部に集塵ホースを取り付け、外部に設置した電気集塵機等により粉塵を吸い取る集塵機構を配設したものが多々提案され且つ実施されている。
【０００４】
【発明が解決しようとする課題】
しかしながら、上記電気集塵機等により粉塵を吸い取る集塵機構を配設した電動カッターは、該電気集塵機等自体が電動カッターに比べ非常に大型であり、しかも電動カッターとは別置構造であるため、電動カッターと電気集塵機等を集塵ホースで接続する必要があり、作業性が非常に悪いという問題点があった。更には電気集塵機等のコストが非常に高価であるという問題点もあった。
【０００５】
本発明は、以上のような問題点を解決するために成されたものであり、コンクリートやタイル等の切断時に発生する粉塵をほぼ完璧に集塵することができる小型且つ安価な集塵機構を電動カッター自体に持たせることにより、作業現場及び作業者に対する大幅な環境改善を図ることができる、集塵カバー付き電動カッターを提供することを目的とする。
【０００６】
【課題を解決するための手段】
上記課題を解決するため、本発明の集塵カバー付き電動カッターにおいては、ディスクグラインダの回転軸に回転刃及びファンを軸着し、該回転刃及びファンを表裏及び上部から覆うための本体カバー部をディスクグラインダに固着し、更に本体カバー部の底部に露出している回転刃を覆うと共に粉塵の集塵機構及び集塵袋を有した外部カバー部を本体カバー部と摺動可能に配設する。
【０００７】
また、本体カバー部の裏面にあるカバー固定部と外部カバー部の裏面にある開口部との摺動に伴い変化する開口面を常に閉口するためのシャッターを内蔵したシャッター機構部を外部カバー部の裏面に配設する。
【０００８】
【発明の実施の形態】
本発明の実施の形態を図を用いて説明する。図１は本発明の集塵カバー付き電動カッターの正面図、図２は本発明の集塵カバー付き電動カッターの裏面図、図３は本発明の集塵カバー付き電動カッターの平面図である。なお、図３において、分かり易くするため本体カバー部１と外部カバー部２を分離した状態で描いているが、実際には図中矢印のように本体カバー部１の締着具カバー１７が外部カバー部２の摺動溝２９内において摺動可能になるように挿着される。また、図４は本発明の集塵カバー付き電動カッターにおける本体カバー部の表カバーを取り外した状態を示した図であり、図５は本発明の集塵カバー付き電動カッターにおける外部カバーの正面図である。
【０００９】
まず、図４に示すように、ディスクグラインダ３の回転軸１３に回転刃１４及びファン１５を軸着し、締着具１６にて固定する。該回転刃１４の外周部は本体カバー５により覆われ、該本体カバー５の表面に表カバー４を冠着し、裏面に裏カバー６を冠着することにより本体カバー部１を構成する。ここで、回転刃１４が図中矢印ａ方向に回転すると、該回転刃１４の回転に伴うファン１５の回転及び回転刃１４自体の回転により、本体カバー部１内において図中矢印ｂ方向に気流が発生する。
【００１０】
また、図１及び図３に示すように、表カバー４の中央部に締着具１６を保護すると共に後述の外部カバー部２の摺動溝２９内を摺動するための締着具カバー１７を配設する。更に表カバー４の左右上部に回転刃１４がコンクリートを切断する時の深さを設定するためのアジャスター螺着具７を配設し、該アジャスター螺着具７にアジャスター８を螺着する。コンクリートの切断作業時において、設定した深さに回転刃１４が到達すると、アジャスター８の先端部が後述の外部カバー部２の上面と当接し、回転刃１４は外部カバー部２の底面より設定された深さ以上に露出できなくなり、コンクリートを切断する深さを一定にすることが可能となる。
【００１１】
また、図２及び図３に示すように、裏カバー６の中央部に当該裏カバー６と本体カバー５及び表カバー４から構成される本体カバー部１をディスクグラインダ３に固着するためのカバー固定部１８を配設し、固定具１９にてディスクグラインダ３に固着する。更に裏カバー６の左右上部に外部カバー部２の底面より露出した回転刃１４を外部カバー部２内に引き戻すためスプリング１２を係着したシリンダー固定具１１及びその両端部に固着したシリンダー１０を保持するためのシリンダー保持具９を配設し、該シリンダー保持具９に前記シリンダー１０を挿入する。コンクリートの切断作業中において、シリンダー１０の先端部は外部カバー部２の裏面に配設された後述のシャッター機構部３０の上面を常に押し付けており、回転刃１４を外部カバー部２内に引き戻そうとする作用が発生することになる。これは、外部カバー部２の底面をコンクリート面に常に密着するように押し付けていることにもなる。
【００１２】
次に、図５及び図３に示すように、外部カバー部２は平面Ｌ字型の前部本体カバー２２と、平面略コ字型の後部本体カバー２３を表カバー２１及び裏カバー２７により冠着し、更に裏カバー２７には後述のシャッター機構部３０を配設する。前部本体カバー２２と後部本体カバー２３及び表カバー２１により形成された摺動溝２９には、本体カバー部１の表カバー４の中央部に配設された締着具カバー１７が摺動可能に挿着される。また、後部本体カバー２３の内部中央下部には、前述の回転刃１４及びファン１５の回転により発生した気流にコンクリートの切断時に発生した粉塵を乗せて当該後部本体カバー２３の後端部にある排出口２６より排出させるためのブレード２５を配設する。そして、排出口２６に接続した集塵袋４０内に前記粉塵を集塵することが可能となる。該集塵袋４０は、空気のみを通過させコンクリートの粉塵を集塵することができる程度の目を有した布帛好ましくは不織布製の袋が安価で好適である。なお、前記前部本体カバー２２には通水路２４が穿孔されており、該通水路２４内に外部注水ホース（図示せず）より水を注入することによりウェット切断にも対応することができるが、該通水路２４は必須のものではない。
【００１３】
なお、図７は本発明の集塵カバー付き電動カッターにおける後部本体カバーの他の実施形態の外形図であり、（ａ）は正面図（ｂ）は右側面図（ｃ）は底面図を表している。該図に示すように、後部本体カバー２３の排出口２６の側部にディスクグラインダ３から発生する排気を排気パイプ（図示せず）にて接続するための排気パイプ接続部３７を配設し、該排気パイプ接続部３７内の吸入口３８より吸入した排気を（ｃ）図の矢印で示すように折り返して排出口３９より排出し、更に後段の排出口２６に排出させるようにすると、集塵袋４０内に流入する空気の量が増大することにより外部カバー部２及び本体カバー部内の負圧が増し、粉塵の集塵能力が増大することになる。
【００１４】
次に、図６は本発明の集塵カバー付き電動カッターにおける本体カバー部の裏カバーと、外部カバー部の裏カバーに配設されたシャッター機構部のシャッター動作を示した図である。該図（ａ）に示すように、外部カバー部２の裏カバー２７には、本体カバー部１の裏カバー６に配設されたカバー固定部１８を摺動可能に挿着するための開口部２８が形成されている。コンクリートの切断作業に伴い、カバー固定部１８は図中矢印ｃ方向に上下に摺動するが、該カバー固定部１８と開口部２８の開口面からのコンクリートの切断時に発生した粉塵の拡散を防止するため、該開口面を閉口する必要がある。このため、該図（ｂ）に示すように、互い交差するシャッター３１ａ，３１ｂの傾斜部３２ａ，３２ｂがカバー固定部１８の底部に形成された傾斜部２０ａ，２０ｂと互い密着して摺動することにより開口部を閉口するシャッター機構部３０を外部カバー部２の裏カバー２７に配設する。
【００１５】
上記シャッター機構部３０において、該図（ｂ）で示したシャッター３１ａ，３１ｂを内蔵すると共にスプリング掛止部３３ａ，３３ｂにレバー状のスプリング３６ａ，３６ｂの先端部を掛止し、更に他端部をシャッター機構部３０の左右の外端部に螺着したネジ３４に掛止すると共に中央部を外部カバー部２の裏カバー２７の左右の上部に螺着したネジ３５に掛止する。該機構により、シャッター３１ａ，３１ｂはスプリング３６ａ，３６ｂにより常に図中矢印ｄ方向の内側に戻される作用が発生する。このため、本体カバー部１のカバー固定部１８の底部に形成された傾斜部２０ａ，２０ｂとシャッター機構部３０に内蔵のシャッター３１ａ，３１ｂの傾斜部３２ａ，３２ｂが互い密着して摺動することにより開口部を閉口することが可能となる。
【００１６】
【実施例】
本発明の実施例をコンクリートの切断手順に基づいて説明する。図８は本発明の集塵カバー付き電動カッターの使用状態を示した図である。
【００１７】
該図（ａ）はコンクリート４１を切断する直前の状態を示しており、コンクリート４１の上面に集塵カバー付き電動カッターの外部カバー部２が載置されている。この時、回転刃１４は外部カバー部２内に収納された状態であり、外部カバー部２の底面とコンクリート４１の上面とは面接触した状態にある。また、この時の本体カバー部１の裏面にあるカバー固定部１８と外部カバー部２の裏面にある開口部２８との摺動に伴い変化する開口面は、シャッター機構部３０内のシャッター３１ａ，３１ｂにより閉口されている。
【００１８】
次に、該図（ｂ）はディスクグラインダ３を押し下げ、コンクリート４１の切断を開始した状態を示している。この時、回転刃１４はほぼディスクグラインダ３を押し下げた分だけ外部カバー部２の底面より突出し、コンクリート４１を切断することになるが、該状態であっても外部カバー部２の底面とコンクリート４１の上面とは面接触した状態にある。また、この時の本体カバー部１の裏面にあるカバー固定部１８と外部カバー部２の裏面にある開口部２８との摺動に伴い変化する開口面は、ディスクグラインダ３の押し下げ分による摺動により狭くなるが、該摺動に伴いシャッター機構部３０内のシャッター３１ａ，３１ｂも横方向に摺動するため閉口を維持することになる。
【００１９】
また、上記切断に伴い発生した粉塵は、外部カバー部２の底面とコンクリート４１の上面とが常に面接触した状態であるため外部に漏れることなく外部カバー部２及び本体カバー部１内に充満する。この時、外部カバー部２及び本体カバー部１内では回転刃１４の回転に伴うファン１５の回転及び回転刃１４自体の回転により、外部カバー部２の後部に配設した後部本体カバー２３の排出口２６を経由して集塵袋４０内に流入する気流が発生する。このため、該気流と共に粉塵も集塵袋４０内に運ばれて集塵されることになり、外部カバー部２及び本体カバー部１内に充満した粉塵は外部に漏れることがない。
【００２０】
次に、該図（ｃ）はディスクグラインダ３を更に押し下げ、アジャスター８で設定した深さでコンクリート４１の切断を行っている状態を示している。この時も上記（ｂ）図の状態と同様に、回転刃１４はほぼディスクグラインダ３を押し下げた分だけ外部カバー部２の底面より突出し、コンクリート４１を切断することになるが、該状態であっても外部カバー部２の底面とコンクリート４１の上面とは面接触した状態にある。また、この時の本体カバー部１の裏面にあるカバー固定部１８と外部カバー部２の裏面にある開口部２８との摺動に伴い変化する開口面は、ディスクグラインダ３の押し下げ分による摺動により更に狭くなるが、該摺動に伴いシャッター機構部３０内のシャッター３１ａ，３１ｂも横方向に摺動するため閉口を維持することになる。
【００２１】
また、上記切断に伴い発生した粉塵は、上記（ｂ）図の説明と同様であり、外部カバー部２及び本体カバー部１内に充満した粉塵は外部に漏れることもなく集塵袋４０内に運ばれて集塵されることになる。
【００２２】
なお、本発明の集塵カバー付き電動カッターにおける集塵袋４０は外部カバー部２の後部に配設した後部本体カバー２３の排出口２６に取付けるため小容量である。従って、長時間に渡ってコンクリート４１の切断作業を行う場合は、集塵袋４０の交換及び清掃を適宜に行う必要がある。
【００２３】
【発明の効果】
以上述べたように、本発明の集塵カバー付き電動カッターを使用してコンクリートやタイル等の切断を行うようにすれば、外部カバー部の底面とコンクリートの上面とが常に面接触した状態にあり、更に本体カバー部の裏面にあるカバー固定部と外部カバー部の裏面にある開口部との摺動に伴い変化する開口面が、シャッター機構部内のシャッターにより常に閉口されるため、切断時に発生した粉塵を外部に漏らすことなくほぼ完璧に集塵袋内に集塵することができる。このため、該小型且つ安価な集塵機構を電動カッター自体に持たせることにより、作業現場及び作業者に対する大幅な環境改善を図ることができるという絶大なる効果を奏することができる。
【図面の簡単な説明】
【図１】本発明の集塵カバー付き電動カッターの正面図である。
【図２】本発明の集塵カバー付き電動カッターの裏面図である。
【図３】本発明の集塵カバー付き電動カッターの平面図である。
【図４】本発明の集塵カバー付き電動カッターにおける本体カバー部の表カバーを取り外した状態を示した図である。
【図５】本発明の集塵カバー付き電動カッターにおける外部カバー部の正面図である。
【図６】本発明の集塵カバー付き電動カッターにおける本体カバー部の裏カバーと、外部カバー部の裏カバーに配設されたシャッター機構部のシャッター動作を示した図である。
【図７】本発明の集塵カバー付き電動カッターにおける後部本体カバーの他の実施形態の外形図である。
【図８】本発明の集塵カバー付き電動カッターの使用状態を示した図である。
【符号の説明】
１　本体カバー部
２　外部カバー部
３　ディスクグラインダ
４　表カバー
５　本体カバー
６　裏カバー
７　アジャスター螺着具
８　アジャスター
９　シリンダー保持具
１０　シリンダー
１１　シリンダー固定具
１２　スプリング
１３　回転軸
１４　回転刃
１５　ファン
１６　締着具
１７　締着具カバー
１８　カバー固定部
１９　固定具
２０　傾斜部
２１　表カバー
２２　前部本体カバー
２３　後部本体カバー
２４　通水路
２５　ブレード
２６　排出口
２７　裏カバー
２８　開口部
２９　摺動溝
３０　シャッター機構部
３１　シャッター
３２　傾斜部
３３　スプリング掛止部
３４　ネジ
３５　ネジ
３６　スプリング
３７　排気パイプ接続部
３８　吸入口
３９　排出口
４０　集塵袋
４１　コンクリート
【図１】
2004142398.tif 000003
【図２】
2004142398.tif 000004
【図３】
2004142398.tif 000005
【図４】
2004142398.tif 000006
【図５】
2004142398.tif 000007
【図６】
2004142398.tif 000008
【図７】
2004142398.tif 000009
【図８】
2004142398.tif 000010